(57)【要約】【課題】  ディスクトレイに光ピックアップの対物レンズをクリーニングするためのクリーニング手段を設けた光学式ディスク装置において、ターンテーブルの嵌合凸部にクリーニング部材が干渉しないようにする。【解決手段】  ターンテーブル５と光ピックアップ７とを備え、ターンテーブル５が、ディスクＤの中心孔に嵌入される嵌合凸部５２を備えている。ディスクトレイ２にクリーニング手段８を設ける。光ピックアップ７の対物レンズ７１のホームポジションＨＰをターンテーブル５の嵌合凸部５２の側方にずらせることによって、ディスクトレイ２によるディスク搬入出動作時にクリーニング手段８がターンテーブル５の嵌合凸部５２と干渉しないようにする。対物レンズ７１の移動経路を、ディスクトレイ２の出退経路に対して交差する方向に定める。【選択図】        図２
2006155815.tif 000002
【特許請求の範囲】
【請求項１】
ディスクを搬入出するためのディスクトレイに載架されて搬入されたディスクをそのディスクトレイから受け取って浮き上がらせるターンテーブルと、そのターンテーブルに対する遠近方向に走行して上記ターンテーブルと共に回転する上記ディスクの記録面を光学的に処理する光ピックアップとを備え、上記ターンテーブルが、上記ディスクの中心孔の周縁部が重なり合う座面とこの座面から突出して上記ディスクの中心孔に嵌入される嵌合凸部とを備えていると共に、上記ディスクトレイに、ディスク搬入出動作時に上記光ピックアップの対物レンズを擦ってクリーニングするクリーニング手段が設けられている光学式ディスク装置において、
上記光ピックアップの走行域の基点である当該光ピックアップの対物レンズのホームポジションを上記ターンテーブルの嵌合凸部の側方にずらせることによって、ディスクトレイによるディスク搬入出動作時に上記クリーニング手段が上記ターンテーブルの嵌合凸部と干渉しないようにしてあり、
上記光ピックアップの走行に伴うその対物レンズの移動経路が、上記ホームポジションを始点とし、かつ、上記ターンテーブルの回転中心と当該ホームポジションとを通る仮想直線と平行な直線経路によって形成されていると共に、その直線経路が、上記ディスクトレイのディスク搬入出動作時の出退経路に対して交差する方向に延びている特徴とする光学式ディスク装置。
【請求項２】
ディスクを搬入出するためのディスクトレイに載架されて搬入されたディスクをそのディスクトレイから受け取って浮き上がらせるターンテーブルと、そのターンテーブルに対する遠近方向に走行して上記ターンテーブルと共に回転する上記ディスクの記録面を光学的に処理する光ピックアップとを備え、上記ターンテーブルが、上記ディスクの中心孔の周縁部が重なり合う座面とこの座面から突出して上記ディスクの中心孔に嵌入される嵌合凸部とを備えていると共に、上記ディスクトレイに、ディスク搬入出動作時に上記光ピックアップの対物レンズを擦ってクリーニングするクリーニング手段が設けられている光学式ディスク装置において、
上記光ピックアップの走行域の基点である当該光ピックアップの対物レンズのホームポジションを上記ターンテーブルの嵌合凸部の側方にずらせることによって、ディスクトレイによるディスク搬入出動作時に上記クリーニング手段が上記ターンテーブルの嵌合凸部と干渉しないようにしたことを特徴とする光学式ディスク装置。
【請求項３】
上記光ピックアップの走行に伴うその対物レンズの移動経路が、上記ホームポジションを始点とする直線経路によって形成されていると共に、その直線経路が、上記ディスクトレイのディスク搬入出動作時の出退経路に対して交差する方向に延びている請求項２に記載した光学式ディスク装置。
【発明の詳細な説明】
【技術分野】
【０００１】
本発明は、光学式ディスク装置、特に、光ピックアップの対物レンズに対するクリーニング手段がディスク搬入出動作を行うディスクトレイに設けられている光学式ディスク装置に関する。
【背景技術】
【０００２】
この種の光学式ディスク装置では、光ピックアップの対物レンズが塵芥付着などに起因して汚れると、光ピックアップの性能低下によって音飛びや映像飛びなどを生じ、ユーザが綺麗なメディアを楽しむことができなくなるおそれがある。そこで、従来は、クリーニング用のメディア（クリーニングディスク）を使って上記対物レンズをクリーニングするという手間のかかる操作を行うことを余儀なくされていた。
【０００３】
その一方で、先行例として、光ディスク装置のフロントローディングのトレイ部の光ヘッドに対面する側にブラシを設け、光ディスクをローディングする度に光ヘッドのレンズ表面をクリーニングするという技術が提案されている（特許文献１参照）。
【０００４】
また、他の先行例として、先端部にブラシやスポンジなどでなる清掃部を備えたクリーナ部材をトレイに変位可能に支持させておき、トレイが開放位置に変位する途中で清掃部により対物レンズを清掃させると共に、清掃部による対物レンズの清掃後にトレイがさらに開放位置に変位してトレイを開放してしまうときには、上記クリーナ部材がターンテーブルに当接することによりトレイに対し相対的に回動してトレイの開放位置への変位が阻害されないようにする技術が提案されている（特許文献２参照）。すなわち、このものでは、トレイが開放位置に変位するときにクリーナ部材がターンテーブルに干渉してトレイの開放位置への変位のじゃまになるという問題を解消する手段として、クリーナ部材をトレイに相対的に回動可能に取り付けるという対策を講じている。
【０００５】
さらに他の先行例として、ディスクトレイにレンズクリーニング部を取り付けておく一方で、再生信号のレベル低下を電気的に検出したときに、光ピックアップを水平及び垂直の各方向に移動させてそのレンズを上記レンズクリーニング部によってクリーニングするという手段が提案されている（特許文献３参照）。
【０００６】
上掲の先行例としての各特許文献１〜３に記載されているものによると、クリーニングディスクを用いずにレンズを清掃することができるという利便があると云える。
【特許文献１】実開平６−１９１２４号公報
【特許文献２】特開平９−１３８９６３号公報
【特許文献３】特開平１０−１１６４３７号公報
【発明の開示】
【発明が解決しようとする課題】
【０００７】
しかしながら、特許文献１は、光ディスクのローディング時に行われるトレイ部のディスク搬入出動作を利用してレンズ部をクリーニングするという手法を示唆しているだけであるので、ローディング時にトレイ部に設けたブラシがターンテーブルと干渉するという事態が起こり得る場合についての対策については何も考慮されていない。すなわち、光ディスク装置（光学式ディスク装置）では、ターンテーブルが、ディスクの中心孔の周縁部が重なり合う座面とこの座面から突出してディスクの中心孔に嵌入される嵌合凸部とを備えているのに対し、光ヘッド（光ピックアップ）はそのようなターンテーブルの後方に配備されてそのターンテーブルに対する遠近方向に走行するようになっていることが多い。そのため、特許文献１によって示唆されているように、ただ単にトレイ部にブラシを設けておくという対策だけでは、トレイ部のディスク搬入出動作時にブラシがターンテーブルの上記嵌合凸部に干渉するという事態や、その嵌合凸部を乗り越えた後にレンズ部を擦るという事態が起こる。しかし、ブラシがターンテーブルの嵌合凸部に干渉したりすると、実際上はトレイ部によるディスクの搬入出動作が円滑に行われなくなる。
【０００８】
これに対し、特許文献２に記載されている技術では、トレイが開放位置に変位するときにクリーナ部材がターンテーブルに干渉してトレイの開放位置への変位のじゃまになるという問題を解消する手段として、クリーナ部材をトレイに相対的に回動可能に取り付けるという対策を講じているので、トレイの開放位置への変位（ディスクトレイのディスク搬出動作）の円滑性が損なわれにくいということが云える。しかしながら、このものでは、トレイにクリーナ部材を回動可能に取り付けるという対策を講じているために、クリーナ部材とトレイとの取付部分の構造が複雑になるという問題がある。
【０００９】
さらに、特許文献３に記載されている技術では、ディスクトレイに設けたレンズクリーニング部のところに光ピックアップを移動させてそのレンズをクリーニングするというものであり、ディスクトレイによるディスク搬入出動作時にその都度レンズをクリーニングするというものではない。
【００１０】
本発明は以上の状況の下でなされたものであり、クリーニングディスクを用いることなくレンズを清掃することができ、しかも、ディスクトレイによるディスク搬入出動作が行われるごとに光ピックアップの対物レンズがディスクトレイに設けたクリーニング手段によって清掃されるものでありながら、ディスクトレイによるディスク搬入出動作が、ターンテーブルによってじゃまされることなく円滑に行われる光学式ディスク装置を提供することを目的とする。
【課題を解決するための手段】
【００１１】
本発明に係る光学式ディスク装置では、ディスクを搬入出するためのディスクトレイに載架されて搬入されたディスクをそのディスクトレイから受け取って浮き上がらせるターンテーブルと、そのターンテーブルに対する遠近方向に走行して上記ターンテーブルと共に回転する上記ディスクの記録面を光学的に処理する光ピックアップとを備え、上記ターンテーブルが、上記ディスクの中心孔の周縁部が重なり合う座面とこの座面から突出して上記ディスクの中心孔に嵌入される嵌合凸部とを備えていると共に、上記ディスクトレイに、ディスク搬入出動作時に上記光ピックアップの対物レンズを擦ってクリーニングするクリーニング手段が設けられている。そして、上記光ピックアップの走行域の基点である当該光ピックアップの対物レンズのホームポジションを上記ターンテーブルの嵌合凸部の側方にずらせることによって、ディスクトレイによるディスク搬入出動作時に上記クリーニング手段が上記ターンテーブルの嵌合凸部と干渉しないようにしてある。
【００１２】
この構成であれば、ディスクトレイのディスク搬入出動作時にディスクトレイに設けられているクリーニング手段がターンテーブルの嵌合凸部に干渉することがなく、しかも、光ピックアップの対物レンズのホームポジションがターンテーブルの嵌合凸部の側方にずれているので、ディスクトレイのディスク搬入出動作時にはホームポジションの対物レンズをクリーニング手段が擦ってクリーニングする。したがって、ディスクトレイによるディスク搬入出動作が、ターンテーブルによってじゃまされることなく円滑に行われ、しかも、ディスクトレイによるディスク搬入出動作が行われるごとに光ピックアップの対物レンズがディスクトレイに設けたクリーニング手段によって清掃される。
【００１３】
本発明では、上記光ピックアップの走行に伴うその対物レンズの移動経路が、上記ホームポジションを始点とする直線経路によって形成されていると共に、その直線経路が、上記ディスクトレイのディスク搬入出動作時の出退経路に対して交差する方向に延びている、という構成を採用することが可能である。この構成であれば、光ピックアップの対物レンズの移動経路を、ディスクトレイの出退経路に対して斜めに定めたり、直交する方向に定めたりすることができる。
【００１４】
本発明に係る光学式ディスク装置は、ディスクを搬入出するためのディスクトレイに載架されて搬入されたディスクをそのディスクトレイから受け取って浮き上がらせるターンテーブルと、そのターンテーブルに対する遠近方向に走行して上記ターンテーブルと共に回転する上記ディスクの記録面を光学的に処理する光ピックアップとを備え、上記ターンテーブルが、上記ディスクの中心孔の周縁部が重なり合う座面とこの座面から突出して上記ディスクの中心孔に嵌入される嵌合凸部とを備えていると共に、上記ディスクトレイに、ディスク搬入出動作時に上記光ピックアップの対物レンズを擦ってクリーニングするクリーニング手段が設けられている光学式ディスク装置において、上記光ピックアップの走行域の基点である当該光ピックアップの対物レンズのホームポジションを上記ターンテーブルの嵌合凸部の側方にずらせることによって、ディスクトレイによるディスク搬入出動作時に上記クリーニング手段が上記ターンテーブルの嵌合凸部と干渉しないようにしてあり、上記光ピックアップの走行に伴うその対物レンズの移動経路が、上記ホームポジションを始点とし、かつ、上記ターンテーブルの回転中心と当該ホームポジションとを通る仮想直線と平行な直線経路によって形成されていると共に、その直線経路が、上記ディスクトレイのディスク搬入出動作時の出退経路に対して交差する方向に延びている、という構成を採用することによっていっそう具体化される。特に、この発明によれば、光ピックアップの対物レンズの移動経路を短くしてディスク再生／記録時のアクセス速度の低下を防ぐことが可能になる。
【発明の効果】
【００１５】
以上のように、本発明によれば、ディスクトレイによるディスクの搬入出動作時に光ピックアップの対物レンズがディスクトレイに設けたクリーニング手段によってクリーニングされてその対物レンズが常にクリーンに保たれるので、ユーザにとっては、クリーニングディスクを用いて対物レンズをクリーニングするという煩わしい操作を行うことなく、常に綺麗なメディアを楽しむことができるようになる。また、ターンテーブルの嵌合凸部にクリーニング部材が干渉してディスクトレイによるディスク搬入出動作の円滑性が損なわれるという事態も起こり得ない。
【発明を実施するための最良の形態】
【００１６】
図１は光学式ディスク装置の外観を示した概略斜視図であり、同図において、１は筐体、２はディスクトレイ、３はクランパーである。この光学式ディスク装置において、ディスクトレイ２は、筐体１内の所定位置にディスクを搬入したり筐体１内の所定位置からディスクを搬出したりする機能を備えていて、筐体１に対して出退可能に取り付けられている。これに対し、クランパー３は、ディスクトレイ２によって搬入されたディスクを、図示していないターンテーブルが受け取ってそのディスクトレイ２から浮き上がらせたときに、ターテーブルと共働してディスクを挟持する機能を発揮する。
【００１７】
図２は本発明に係る光学式ディスク装置の要部の概略構成を示した平面図、図３はディスク搬入時の概略構成を示した要部縦断側面図、図４はディスククランプ時の概略構成を示した要部縦断側面図、図５はクリーニング動作の説明図である。
【００１８】
図２において、５はターンテーブル、７は光ピックアップである。図３又は図４のように、ターンテーブル５には、円形の座面５１とこの座面の中央に突出された嵌合凸部５２とが備わっていて、このターンテーブル５が回転駆動源としてのモータ６の回転軸６１に直結されている。そして、モータ６が図示していない可動シャーシに設置されている。また、この可動シャーシには、モータ６と共に光ピックアップ７が取り付けられていて、この光ピックアップ７が、ターンテーブル５と共に回転するディスクＤの半径方向に走行してそのディスクＤを光学的に処理するようになっている。ここで、光学的処理とは、ディスクＤの記録面の情報を光学的に読み取る処理や、ディスクＤの記録面に情報を光学的に書き込む処理のことをいう。
【００１９】
ディスクトレイ２は図２の矢印Ａのように筐体１に対して出退可能であり、このディスクトレイ２が出退するときには、上記した可動シャーシが下動して図３のようにターンテーブル５と光ピックアップ７とが待機位置に移動している。そして、ターンテーブル５が待機位置に移動しているときには、ターンテーブル５の座面５１がディスクトレイ２の出退経路の下方に位置し、光ピックアップ７もディスクトレイ２の出退経路の下方に位置しているのに対し、ターンテーブル５の嵌合凸部５２はその頂部がディスクトレイ２の出退経路中に突出している。そこで、ディスクトレイ２が出退するときにそのディスクトレイ２が嵌合凸部５２の頂部と干渉することを回避するためにディスクトレイ２に逃がし凹所２１が形成されていて、ディスクトレイ２が出退するときには、上記嵌合凸部５２が逃がし凹所２１の内側空間に配置される構成になっている。
【００２０】
ディスクトレイ２に設けられるクリーニング手段８は、ディスクトレイ２の逃がし凹所２１に配備されている。クリーニング手段８には一定の層厚を有する不織布を好ましく用いることができるけれども、不織布に限らず、ブラシや布、その他の柔軟な素材を適宜選択して用いることができる。
【００２１】
この光学式ディスク装置において、上記したように、光ピックアップ７は、ターンテーブル５と共に回転するディスクＤの半径方向に走行してそのディスクＤを光学的に処理する機能を有していて、その光ピックアップ７の走行域の基点である対物レンズ７１のホームポジションＨＰを、ターンテーブル５の嵌合凸部５２の一側方にずらせて設定してある。こうすることによって、ディスクトレイ２が出退するときに、クリーニング手段８が、待機位置に移動しているターンテーブル５の最も背高の部位である嵌合凸部５２の側方を通過して、同じく待機位置に移動している上記対物レンズ７１の表面を擦ってクリーニングするようになる。したがって、クリーニング手段８がターンテーブル５の嵌合凸部５２と干渉してディスクトレイ２の動作の円滑性が損なわれるという事態は起こり得ない。なお、図２には一点鎖線Ｌ１によってディスクトレイ２の出退時のクリーニング手段８の移動路を示してある。
【００２２】
また、図２のように、光ピックアップ７の対物レンズ７１の移動経路Ｒは、上記ホームポジションＨＰを始点として、ターンテーブル５の回転中心Ｐ１と当該ホームポジションＨＰとを通る仮想直線Ｌ２と平行な直線経路によって形成されていると共に、その直線経路でなる上記移動経路Ｒが、ディスクトレイ２の出退経路に対して斜めに交差する方向に延びている。そして、このことと関連して、ディスクトレイ２の逃がし凹所２１に張出空所２２を形成することにより、光ピックアップ７がディスクトレイ２と干渉せずに走行することを可能としている。
【００２３】
以上のように構成された光学式ディスク装置では、図２に実線で示したように筐体１からディスクトレイ２が突出しているときに、そのディスクトレイ２に対してディスク（不図示）の着脱が行われる。この状態からディスクトレイ２が筐体１に進入することによって、ディスクトレイ２に載架されたディスクＤが図３矢印Ａ１のように筐体１（図３参照）に搬入される。そして、その搬入の途中で、クリーニング手段８がターンテーブル５の嵌合凸部５２の側方を通過し、そのときに図５で判るように対物レンズ７１の表面を擦ってクリーニングする。
【００２４】
ディスクトレイ２によるディスクＤの搬入（ローディング）が終了した後、上記した可動シャーシが上動し、その動作を介して図４矢印ａのようにターンテーブル５が上動する。このときのターンテーブル５の上動により、そのターンテーブル５の嵌合凸部５２がディスクＤの中心孔（不図示）に嵌合すると共に、ターンテーブル５の座面５１がディスクＤの中心孔の周縁部に重なり合ってそのディスクＤを下から押し上げてディスクＤをディスクトレイ２から浮き上がらせると共に、クランパ３が動作してディスクＤをターンテーブル５の座面５１に押し付ける。この後、ターンテーブル５がディスクＤを伴って回転し、その回転中に、光ピックアップ７がディスクトレイ２の張出空所２２内でその走行域を走行し、ディスクＤの記録面を光学的に処理する。
【００２５】
ディスクＤを取り出すときには、可動シャーシと共にターンテーブル５が下動してディスクＤがディスクトレイ２に受け渡され、その後、ディスクＤの載架されたディスクトレイ２が後退して筐体１から突出する。このときにも、図５で判るようにクリーニング手段８が対物レンズ７１の表面を擦ってクリーニングする。
【００２６】
この実施形態では、光ピックアップ７の対物レンズ７１のホームポジションＨＰをターンテーブル５を嵌合凸部５２の側方に定めているので、ディスクトレイ２によるディスクの搬入出動作時にクリーニング手段８が上記嵌合凸部５２と干渉することなく移動して対物レンズ７１をクリーニングする。そして、対物レンズ７１のホームポジションＨＰをターンテーブル５を嵌合凸部５２の側方に定めているにもかかわらず、対物レンズ７１の移動経路Ｒを、そのホームポジションＨＰを始点として、ターンテーブル５の回転中心Ｐ１と当該ホームポジションＨＰとを通る仮想直線Ｌ２と平行な直線経路によって形成してあるので、ディスクＤの記録面を光学的に処理する際の対物レンズ７１の移動方向がディスクＤの半径方向に一致してその移動長さが最短になり、その結果、ディスクＤの記録面上での所定アドレスへのアクセス時間が最短になるという利点がある。
【図面の簡単な説明】
【００２７】
【図１】光学式ディスク装置の外観を示した概略斜視図である。
【図２】本発明に係る光学式ディスク装置の要部の概略構成を示した平面図である。
【図３】ディスク搬入時の概略構成を示した要部縦断側面図である。
【図４】ディスククランプ時の概略構成を示した要部縦断側面図である。
【図５】クリーニング動作の説明図である。
【符号の説明】
【００２８】
２  ディスクトレイ
５  ターンテーブル
７  光ピックアップ
８  クリーニング手段
５１  座面
５２  嵌合凸部
Ｄ  ディスク
Ｒ  対物レンズの移動経路
Ｐ１  ターンテーブルの回転中心
ＨＰ  対物レンズのホームポジション
Ｌ２  仮想直線
【図１】
2006155815.tif 000003
【図２】
2006155815.tif 000004
【図３】
2006155815.tif 000005
【図４】
2006155815.tif 000006
【図５】
2006155815.tif 000007